(57)【要約】  バッテリパック（１０）は、バッテリコアパック（１４ａ、１４ｂ）と、ケース（１２）と、ケース（１２）の内部でバッテリコアパック（１４ａ、１４ｂ）を支持する支持フレーム（１８）とを備える。ケース（１２）は、第１ケース壁（３２）と、第２ケース壁（３６）と、湾曲するケースコーナ部（４０）とを有する。支持フレーム（１８）は、第１フレーム壁（６４）と、第２フレーム壁（６６）と、フレームコーナ部（６８）とを有する。第１ケース壁（３２）の内側面（３２ａ）と第１フレーム壁（６４）の外側面（６４ａ）との間を少なくとも部分的に第１当接部（４４）が埋める。第２ケース壁（３６）の内側面（３６ａ）と第２フレーム壁（６６）の外側面（６６ａ）との間を少なくとも部分的に第２当接部（４６）が埋める。
2019225701.tif 000002
【特許請求の範囲】
【請求項１】
セルホルダ（８２）に保持された複数の電池セル（８０）を有するバッテリコアパック（１４ａ、１４ｂ）と、前記バッテリコアパックを収容するケース（１２）と、を備えるバッテリパック（１０）であって、
前記ケースの内部で前記バッテリコアパックを支持する支持フレーム（１８）をさらに備え、
前記ケースは、第１ケース壁（３２）と、第２ケース壁（３６）と、前記第１ケース壁及び前記第２ケース壁の稜部に形成され、且つ湾曲するケースコーナ部（４０）と、を有し、
前記支持フレームは、第１フレーム壁（６４）と、第２フレーム壁（６６）と、前記第１フレーム壁及び前記第２フレーム壁の稜部に形成されるフレームコーナ部（６８）と、を有し、
前記ケースコーナ部の内側面（４０ａ）は、前記フレームコーナ部の外側面（６８ａ）と対向し、
前記ケースの内部で対向する前記第１ケース壁の内側面（３２ａ）と前記第１フレーム壁の外側面（６４ａ）との間を少なくとも部分的に埋める第１当接部（４４）が設けられ、
前記ケースの内部で対向する前記第２ケース壁の内側面（３６ａ）と前記第２フレーム壁の外側面（６６ａ）との間を少なくとも部分的に埋める第２当接部（４６）が設けられる、バッテリパック。
【請求項２】
請求項１記載のバッテリパックにおいて、
前記第１当接部は、前記第１ケース壁から前記第１フレーム壁に向かって突出するように前記ケースと一体に形成され、
前記第２当接部は、前記第２ケース壁から前記第２フレーム壁に向かって突出するように前記ケースと一体に形成される、バッテリパック。
【請求項３】
請求項１記載のバッテリパックにおいて、
前記第１当接部は、前記第１フレーム壁から前記第１ケース壁に向かって突出するように前記支持フレームと一体に形成され、
前記第２当接部は、前記第２フレーム壁から前記第２ケース壁に向かって突出するように前記支持フレームと一体に形成される、バッテリパック。
【請求項４】
請求項２又は３記載のバッテリパックにおいて、
前記第１当接部及び前記第２当接部のそれぞれは、前記ケースコーナ部の稜方向に沿って延在する突条である、バッテリパック。
【請求項５】
請求項１〜４の何れか１項に記載のバッテリパックにおいて、
前記バッテリコアパックは角柱状であり、
前記フレームコーナ部は、前記バッテリコアパックの側面（１６ａ、１６ｂ、１６ｃ、１６ｄ）同士の稜部を覆い、
前記ケースは、前記バッテリコアパックの側面を覆う角筒状の外殻ケース（２４）を有し、前記外殻ケースが、前記第１ケース壁と、前記第２ケース壁と、前記ケースコーナ部とを有する、バッテリパック。
【請求項６】
請求項５記載のバッテリパックにおいて、
前記バッテリコアパックは四角柱状であり、
前記フレームコーナ部は、前記バッテリコアパックの四隅の稜部をそれぞれ覆うように設けられ、
前記第１当接部及び前記第２当接部は、四角筒状の前記外殻ケースの四隅に設けられた前記ケースコーナ部の近傍にそれぞれ配設される、バッテリパック。
【発明の詳細な説明】
【技術分野】
【０００１】
本発明は、セルホルダに保持された複数の電池セルを有するバッテリコアパックと、バッテリコアパックを収容するケースとを備えるバッテリパックに関する。
【背景技術】
【０００２】
例えば、特表２０１６−５３４５１８号公報に記載されるように、電動車両等に着脱可能に搭載されるバッテリパックとして、セルホルダに保持された複数の電池セルを有するバッテリコアパックと、該バッテリコアパックを収容するケースとを備えるものが知られている。
【発明の概要】
【０００３】
この種のバッテリパックでは、ケース内におけるバッテリコアパックのガタツキを抑制して、耐久性の向上等を図るべく、ケースの内部にバッテリコアパックを支持する支持フレームを設けることが考えられる。
【０００４】
ケースの内部では、ケースのコーナ部の内側面と、支持フレームのコーナ部の外側面とが対向する。また、ケース及び支持フレームのうち、少なくともケースのコーナ部は湾曲する。換言すると、少なくともケースのコーナ部にはアールが付される。この場合に、ケースと支持フレームとのガタツキ等を抑制して、バッテリパックのさらなる耐久性の向上を図るためには、例えば、ケースの湾曲と同じ湾曲を支持フレームのコーナ部にも設ける等の高精度な加工が必要となり、煩雑である。
【０００５】
そこで、本発明は、簡単な構成で容易に耐久性を向上させることが可能なバッテリパックを提供することを目的とする。
【０００６】
本発明の一態様は、セルホルダに保持された複数の電池セルを有するバッテリコアパックと、前記バッテリコアパックを収容するケースと、を備えるバッテリパックであって、前記ケースの内部で前記バッテリコアパックを支持する支持フレームをさらに備え、前記ケースは、第１ケース壁と、第２ケース壁と、前記第１ケース壁及び前記第２ケース壁の稜部に形成され、且つ湾曲するケースコーナ部と、を有し、前記支持フレームは、第１フレーム壁と、第２フレーム壁と、前記第１フレーム壁及び前記第２フレーム壁の稜部に形成されるフレームコーナ部と、を有し、前記ケースコーナ部の内側面は、前記フレームコーナ部の外側面と対向し、前記ケースの内部で対向する前記第１ケース壁の内側面と前記第１フレーム壁の外側面との間を少なくとも部分的に埋める第１当接部が設けられ、前記ケースの内部で対向する前記第２ケース壁の内側面と前記第２フレーム壁の外側面との間を少なくとも部分的に埋める第２当接部が設けられる。
【０００７】
このバッテリパックでは、ケースコーナ部の湾曲と同じ湾曲がフレームコーナ部に付されているか否かに関わらず、第１当接部及び第２当接部を設ける簡単な構成によって、ケースと支持フレームとのガタツキを抑制することができる。つまり、簡単な構成で容易にバッテリパックの耐久性を向上させることができる。
【図面の簡単な説明】
【０００８】
【図１】本発明の実施形態に係るバッテリパックの概略斜視図である。
【図２】ボトムケースと、外殻ケースと、トップケースとを分解したバッテリパックの分解斜視図である。
【図３】支持フレームと、バッテリ群との分解斜視図である。
【図４】第１当接部及び第２当接部を説明するためのバッテリパックの平断面図である。
【図５】第１当接部及び第２当接部を説明するための外殻ケースの斜視図である。
【図６】バッテリコアパックの分解斜視図である。
【図７】変形例に係る第１当接部及び第２当接部を説明するためのバッテリパックの平断面図である。
【発明を実施するための形態】
【０００９】
本発明に係るバッテリパックについて好適な実施形態を挙げ、添付の図面を参照しながら詳細に説明する。なお、以下の図において、同一又は同様の機能及び効果を奏する構成要素に対しては同一の参照符号を付し、繰り返しの説明を省略する場合がある。
【００１０】
図１に示すバッテリパック１０は、例えば、電動アシスト自転車や、電動バイク、電気自動車等の電動車両（不図示）に着脱可能に搭載される携帯式の駆動用電源に好適に適用することができる。そこで、以下では、バッテリパック１０が電動車両に搭載される例について説明する。また、バッテリパック１０の上下方向は、該バッテリパック１０を電動車両に搭載した際の鉛直方向（図１の矢印Ｘ１、Ｘ２方向）を基準とする。しかしながら、特にこれらに限定されるものではなく、バッテリパック１０は、電力を必要とする様々な機器に適用することができる。
【００１１】
図２に示すように、バッテリパック１０は、外装を構成するケース１２と、２個のバッテリコアパック１４ａ、１４ｂを連結したバッテリ群１６と、ケース１２の内部でバッテリ群１６（バッテリコアパック１４ａ、１４ｂ）を支持する支持フレーム１８と、バッテリ管理装置（Ｂａｔｔｅｒｙ Ｍａｎａｇｅｍｅｎｔ Ｕｎｉｔ：ＢＭＵ）２０と、不図示のコネクタ部とを主に備える。
【００１２】
ケース１２は、例えば、アルミニウム等の金属や、樹脂（繊維強化樹脂を含む）等から形成することができ、略四角柱状のバッテリ群１６（バッテリコアパック１４ａ、１４ｂ）を収容する。ケース１２は、バッテリ群１６の底面を覆うボトムケース２２と、バッテリ群１６の側面１６ａ、１６ｂ、１６ｃ、１６ｄ（図３参照）を覆う外殻ケース２４と、バッテリ群１６の上面を覆うトップケース２６とを有する。
【００１３】
ボトムケース２２は、上端が開口する筐体であり、例えば、底面の四隅のそれぞれには、上側（矢印Ｘ１側）に向かって突出する中空の円筒状又は円錐台状の突起部２８が設けられている。突起部２８の先端面には、後述するボルト３０（図３参照）の軸部が挿通される挿通孔２８ａが形成されている。また、ボトムケース２２の内部には、上記のコネクタ部等が収容される。
【００１４】
コネクタ部は、例えば、該ボトムケース２２の底壁に形成された切り欠き等を介してケース１２の外部に露出し、電動車両の電力供給口、又はバッテリ群１６を充電するための充電装置に対して接続可能となっている。なお、上記の切り欠き、電力供給口、充電装置は何れも不図示である。コネクタ部を電力供給口又は充電装置に接続することで、不図示のリード線等によって、電力供給口又は充電装置と、バッテリ群１６とをＢＭＵ２０を介して電気的に接続することができる。
【００１５】
図４及び図５に示すように、外殻ケース２４は、四角筒状であり、互いに対向する一組の第１ケース壁３２と、互いに対向する一組の第２ケース壁３６と、第１ケース壁３２と第２ケース壁３６との稜部にそれぞれ形成された湾曲するケースコーナ部４０とを有する。つまり、ケースコーナ部４０は、外殻ケース２４の四隅にそれぞれ形成される。
【００１６】
また、図４に示すように、外殻ケース２４の稜方向（矢印Ｘ１、Ｘ２方向）に直交する断面において、湾曲するケースコーナ部４０を介して第１ケース壁３２と第２ケース壁３６とが連なる。換言すると、ケースコーナ部４０には、いわゆるアールが付されている。ケースコーナ部４０のアールの半径は特に限定されるものではなく、バッテリパック１０の仕様等に応じて適宜設定することができる。
【００１７】
第１ケース壁３２の内側面３２ａには、ケースコーナ部４０の近傍に、該内側面３２ａの垂線方向に沿って突出し、且つケースコーナ部４０の稜方向に沿って延在する突条の第１当接部４４が一体に設けられている。また、第２ケース壁３６の内側面３６ａには、ケースコーナ部４０の近傍に、該内側面３６ａの垂線方向に沿って突出し、且つケースコーナ部４０の稜方向に沿って延在する突条の第２当接部４６が一体に設けられている。
【００１８】
図５に示すように、本実施形態では、第１当接部４４及び第２当接部４６のそれぞれは、外殻ケース２４の稜方向の一端から他端にわたって延在する。また、第１ケース壁３２の内側面３２ａに対する第１当接部４４の突出長さは、第１ケース壁３２の厚さよりも小さい。第２ケース壁３６の内側面３６ａに対する第２当接部４６の突出長さは、第２ケース壁３６の厚さよりも小さい。なお、第１当接部４４の突出長さと第２当接部４６の突出長さは互いに同じであってもよいし、異なっていてもよい。さらに、第１当接部４４の先端面４４ａ及び第２当接部４６の先端面４６ａのそれぞれは平坦面となっている。
【００１９】
図２及び図５に示すように、外殻ケース２４の上端には、上側開口部２４ａが設けられ、外殻ケース２４の下端には、下側開口部２４ｂが設けられている。下側開口部２４ｂがボトムケース２２により覆われ、且つ上側開口部２４ａがトップケース２６により覆われた状態で、ボトムケース２２と外殻ケース２４とトップケース２６とが一体化される（図１参照）。これによって形成されるケース１２の内部空間にバッテリ群１６、支持フレーム１８、ＢＭＵ２０等が収容される。
【００２０】
図２に示すように、トップケース２６は、下端が開口する筐体であり、上面側にバッテリパック１０を持ち運ぶ際に把持することが可能なハンドル２６ａが設けられている。また、トップケース２６の下面側の四隅には、例えば、後述するボルト５０（図３参照）の軸部に設けられた雄ねじ５０ａと螺合する不図示の雌ねじがそれぞれ設けられている。これらの雄ねじ５０ａ及び雌ねじの螺合を介して、トップケース２６の下面側に、支持フレーム１８が連結される。
【００２１】
図３に示すように、支持フレーム１８は、例えば金属等からなり、第１フレーム５２と第２フレーム５４とを有する。第１フレーム５２は、バッテリ群１６の互いに対向する一組の側面１６ａ、１６ｂのうち、一方の側面１６ａ側の稜線に沿って設けられる。第２フレーム５４は、バッテリ群１６の他方の側面１６ｂ側の稜線に沿って設けられる。
【００２２】
具体的には、第１フレーム５２及び第２フレーム５４のそれぞれは、底部材６０と被せ部材６２とを連結して構成される。第１フレーム５２の底部材６０は、バッテリ群１６の側面１６ａの底辺に沿う。第１フレーム５２の被せ部材６２は、バッテリ群１６の側面１６ａの底辺を除く辺のうち、上下方向に延在する一組の辺にそれぞれ沿う一組の側部６２ａと、上辺に沿う上端部６２ｂとを備える。また、側部６２ａの下端には、バッテリ群１６の側面１６ａの底辺の一部に沿う延在部６２ｃが設けられる。
【００２３】
第２フレーム５４の底部材６０は、バッテリ群１６の側面１６ｂの底辺に沿う。第２フレーム５４の被せ部材６２は、バッテリ群１６の側面１６ｂの底辺を除く辺のうち、上下方向に延在する一組の辺にそれぞれ沿う一組の側部６２ａと、上辺に沿う上端部６２ｂとを備える。また、側部６２ａの下端には、バッテリ群１６の側面１６ｂの底辺の一部に沿う延在部６２ｃが設けられる。
【００２４】
第１フレーム５２及び第２フレーム５４の側部６２ａは、第１フレーム壁６４と、第２フレーム壁６６と、これらの第１フレーム壁６４及び第２フレーム壁６６の稜部に形成されるフレームコーナ部６８とをそれぞれ有する。図４に示すように、フレームコーナ部６８は、バッテリ群１６の四隅の稜部をそれぞれ覆うように設けられる。また、外殻ケース２４の内部において、フレームコーナ部６８の外側面６８ａは、ケースコーナ部４０の内側面４０ａに間隔をおいて対向する。なお、フレームコーナ部６８は湾曲していてもよいし、湾曲していなくてもよい。
【００２５】
第１フレーム壁６４は、バッテリ群１６の側面１６ａ又は側面１６ｂの一部を覆う。また、外殻ケース２４の内部において、第１フレーム壁６４の外側面６４ａは、第１ケース壁３２の内側面３２ａに間隔をおいて対向する。また、第１フレーム壁６４の外側面６４ａには、第１ケース壁３２の内側面３２ａから突出する第１当接部４４の先端面４４ａが当接する。フレームコーナ部６８の稜方向に直交する側部６２ａの断面において、第１ケース壁３２に沿う方向（矢印Ｙ１、Ｙ２方向）の第１フレーム壁６４の長さは、同方向の第１当接部４４の長さよりも長い。このため、第１当接部４４によって、第１フレーム壁６４の外側面６４ａと第１ケース壁３２の内側面３２ａとの間が部分的に埋められる。
【００２６】
第２フレーム壁６６は、バッテリ群１６の側面１６ｃ又は側面１６ｄの一部を覆う。また、外殻ケース２４の内部において、第２フレーム壁６６の外側面６６ａは、第２ケース壁３６の内側面３６ａに間隔をおいて対向する。また、第２フレーム壁６６の外側面６６ａには、第２ケース壁３６の内側面３６ａから突出する第２当接部４６の先端面４６ａが当接する。フレームコーナ部６８の稜方向に直交する側部６２ａの断面において、第２ケース壁３６に沿う方向（矢印Ｚ１、Ｚ２方向）の第２フレーム壁６６の長さは、同方向の第２当接部４６の長さよりも長い。このため、第２当接部４６によって、第２フレーム壁６６の外側面６６ａと第２ケース壁３６の内側面３６ａとの間が部分的に埋められる。
【００２７】
図３に示すように、バッテリ群１６の底面のうち、底部材６０で覆われていない一組の辺、換言すると、側面１６ｃ、１６ｄのそれぞれの底辺に沿って一組の連結部材７０が設けられる。連結部材７０と、底部材６０と、延在部６２ｃとは、上下方向に積層され、互いの積層部分に、上側から下側に向かってボルト３０の軸部が挿通される。また、ボルト３０の軸部は、上記の通り、ボトムケース２２の底面の四隅に設けられた突起部２８の挿通孔２８ａ（図２参照）にも挿通される。この軸部の先端にナット７２（図３参照）等が取り付けられることで、支持フレーム１８とボトムケース２２とが、連結部材７０を介して連結される。
【００２８】
バッテリ群１６の上面のうち、被せ部材６２の上端部６２ｂにより覆われていない一組の辺、換言すると、側面１６ｃ、１６ｄのそれぞれの上辺に沿って一組の連結部材７４が設けられる。被せ部材６２の上端部６２ｂの延在方向の両端側には、上側に向かって突出する凸部７６がそれぞれ設けられている。このようにして凸部７６が設けられることで、上端部６２ｂの延在方向の両端側とバッテリ群１６の上面との間に、ボルト５０の頭部を配設可能なスペースが設けられる。
【００２９】
凸部７６と連結部材７４とは上下方向に積層され、互いの積層部分に、下側から上側に向かってボルト５０の軸部が挿通される。この状態で、ボルト５０の雄ねじ５０ａとトップケース２６の雌ねじとを螺合させることで、支持フレーム１８とトップケース２６とが、連結部材７４を介して連結される。
【００３０】
バッテリ群１６を構成する２個のバッテリコアパック１４ａ、１４ｂは、互いに略同様に構成される。このため、以下では、バッテリコアパック１４ａの説明をもって、バッテリコアパック１４ｂの具体的な説明は省略する。
【００３１】
図６に示すように、バッテリコアパック１４ａは、複数の電池セル８０と、セルホルダ８２とを有する。図２に示すように、本実施形態では、バッテリ群１６とボトムケース２２の切り欠きとの間に不図示の配線等を収容する空間を形成するべく、バッテリ群１６は、その下端側の一部が切り欠かれた四角柱状となっている。
【００３２】
電池セル８０は、例えば、円筒状であり、軸方向の両端部に正極端子８６及び負極端子８８がそれぞれ設けられている。電池セル８０の好適な種類としては、リチウムイオン二次電池を挙げることができるが、特にこれに限定されず、例えば、ニッケル水素電池やニッケルカドミウム電池等の二次電池を用いてもよい。
【００３３】
セルホルダ８２は、正極側ホルダ８２ａ及び負極側ホルダ８２ｂを組み合わせて構成され、保持部９０と、押さえ板部９２と、周壁部９４とを有する。保持部９０は、複数の保持孔９６を有し、電池セル８０を該保持孔９６にそれぞれ挿通した状態で保持する。保持孔９６は、矢印Ｚ１、Ｚ２方向に沿って延在し、その延在方向の両端の開口から電池セル８０の正極端子８６又は負極端子８８をそれぞれ露出させる。保持部９０に保持された複数の電池セル８０は、それぞれの正極端子８６が互いに面一に配置され、且つそれぞれの負極端子８８が互いに面一に配置される。
【００３４】
押さえ板部９２は、保持部９０の矢印Ｚ１、Ｚ２方向の両端側にそれぞれ設けられ、保持孔９６の開口に対応する位置に貫通孔からなる露出部９８が設けられている。保持孔９６の一端側の開口及び正極側ホルダ８２ａの露出部９８を介して正極端子８６がセルホルダ８２の外部に露出する。また、保持孔９６の他端側の開口及び負極側ホルダ８２ｂの露出部９８を介して負極端子８８がセルホルダ８２の外部に露出する。
【００３５】
また、正極端子８６を露出させる露出部９８と、負極端子８８を露出させる露出部９８とのそれぞれを覆うように、複数のバスバープレート１００（図２及び図３参照）が押さえ板部９２に取り付けられる。押さえ板部９２には、バスバープレート１００同士の間に介在して互いを絶縁する突条部１０２が設けられている。
【００３６】
一方のバッテリコアパック１４ａの負極端子８８側と、他方のバッテリコアパック１４ｂの正極端子８６側とが互いに対向するように、２個のバッテリコアパック１４ａ、１４ｂが連結されてバッテリ群１６が形成されている。また、一方のバッテリコアパック１４ａの正極端子８６側と、他方のバッテリコアパック１４ｂの負極端子８８側、換言すると、バッテリ群１６の矢印Ｚ１、Ｚ２方向の両側の側面１６ａ、１６ｂは、外殻ケース２４の内側面３２ａに臨む。
【００３７】
複数のバスバープレート１００のそれぞれは、正極端子８６同士又は負極端子８８同士を所定の個数ずつ並列に接続するものであり、露出部９８内に進入して正極端子８６又は負極端子８８と接触する突出部１０４が、例えばエンボス加工等によって設けられている。
【００３８】
周壁部９４は、保持部９０及び露出部９８を囲むように設けられる。また、周壁部９４の端面には、バスバープレート１００の接続端部１０６（図２及び図３参照）がそれぞれ挿入される複数の溝９４ａが設けられている。この接続端部１０６と上記のリード線等が接続されることにより、複数のバスバープレート１００が、互いに直列に接続された状態でＢＭＵ２０を介してコネクタ部に接続される。
【００３９】
図３に示すように、バッテリコアパック１４ａの正極側ホルダ８２ａの矢印Ｚ１側の上端と、バッテリコアパック１４ｂの負極側ホルダ８２ｂの矢印Ｚ２側の上端とのそれぞれには、上側に向かって突出する突出壁１０８が設けられている。これらの突出壁１０８同士の間にＢＭＵ２０が配設されている。
【００４０】
ＢＭＵ２０は、例えば、バッテリ群１６の充放電の制御を行う制御部と、電動車両及び充電装置と通信を行う通信部と、電池セル８０の温度や電圧等から検出したバッテリ群１６の状態を記憶する記憶部とを有する（何れも不図示）。
【００４１】
基本的には上記のように構成される本実施形態に係るバッテリパック１０では、例えば、ハンドル２６ａを把持してバッテリパック１０を充電装置の近傍に持ち運び、コネクタ部と充電装置とを接続することにより、電池セル８０の充電を行うことができる。一方、例えば、ハンドル２６ａを把持してバッテリパック１０を持ち運び、コネクタ部と電力供給口とが接続されるように、バッテリパック１０を電動車両に搭載することにより、電池セル８０の放電を行うことができる。
【００４２】
以上から、このバッテリパック１０では、第１当接部４４及び第２当接部４６によって、第１ケース壁３２と第１フレーム壁６４との相対位置が固定され、且つ第２ケース壁３６と第２フレーム壁６６との相対位置が固定される。従って、ケースコーナ部４０の湾曲と同じ湾曲がフレームコーナ部６８に付されているか否かに関わらず、第１ケース壁３２と第１フレーム壁６４の間に第１当接部４４を設け、第２ケース壁３６と第２フレーム壁６６との間に第２当接部４６を設ける簡単な構成によって、ケース１２と支持フレーム１８とのガタツキを抑制することができる。
【００４３】
すなわち、ケースコーナ部４０のアールの半径とフレームコーナ部６８のアールの半径とが互いに異なる場合であっても、ケース１２と支持フレーム１８とのガタツキを抑制することができる。従って、ケースコーナ部４０のアールの半径とフレームコーナ部６８のアールの半径とを揃えるような煩雑な加工を必要とすることなく、簡単な構成で容易にバッテリパック１０の耐久性を向上させることができる。
【００４４】
上記の実施形態に係るバッテリパック１０では、第１当接部４４は、第１ケース壁３２から第１フレーム壁６４に向かって突出するようにケース１２（外殻ケース２４）と一体に形成され、第２当接部４６は、第２ケース壁３６から第２フレーム壁６６に向かって突出するようにケース１２（外殻ケース２４）と一体に形成されることとした。
【００４５】
この場合、第１ケース壁３２から突出する第１当接部４４の先端面４４ａが第１フレーム壁６４の外側面６４ａに当接し、且つ第２ケース壁３６から突出する第２当接部４６の先端面４６ａが第２フレーム壁６６の外側面６６ａに当接する。これによって、ケース１２と支持フレーム１８とのガタツキを抑制することができる。このように、ケース１２に第１当接部４４及び第２当接部４６を設ける簡単な構成によってバッテリパック１０の耐久性を容易に向上させることができる。
【００４６】
バッテリパック１０は、ケース１２と一体に形成される第１当接部４４及び第２当接部４６に代えて、図７に示すように、支持フレーム１８と一体に形成される第１当接部１１０及び第２当接部１１２を備えてもよい。この場合、第１当接部１１０は、第１フレーム壁６４から第１ケース壁３２に向かって突出するように支持フレーム１８の側部６２ａと一体に形成される。また、第２当接部１１２は、第２フレーム壁６６から第２ケース壁３６に向かって突出するように支持フレーム１８の側部６２ａと一体に形成される。
【００４７】
第１フレーム壁６４の外側面６４ａに対する第１当接部１１０の突出長さは、第１ケース壁３２の厚さよりも小さい。第２フレーム壁６６の外側面６６ａに対する第２当接部１１２の突出長さは、第２ケース壁３６の厚さよりも小さい。なお、第１当接部１１０の突出長さと第２当接部１１２の突出長さは互いに同じであってもよいし、異なっていてもよい。さらに、第１当接部１１０の先端面１１０ａは、第１ケース壁３２の内側面３２ａに沿う平坦面であり、第２当接部１１２の先端面１１２ａは、第２ケース壁３６の内側面３６ａに沿う平坦面である。
【００４８】
フレームコーナ部６８の稜方向に直交する側部６２ａの断面において、第１ケース壁３２に沿う方向（矢印Ｙ１、Ｙ２方向）の第１フレーム壁６４の長さは、同方向の第１当接部１１０の長さよりも長い。また、第２ケース壁３６に沿う方向（矢印Ｚ１、Ｚ２方向）の第２フレーム壁６６の長さは、同方向の第２当接部１１２の長さよりも長い。
【００４９】
このため、第１ケース壁３２の内側面３２ａに、第１フレーム壁６４から突出する第１当接部１１０の先端面１１０ａが当接することで、第１当接部１１０によって、第１フレーム壁６４の外側面６４ａと第１ケース壁３２の内側面３２ａとの間が部分的に埋められる。同様に、第２ケース壁３６の内側面３６ａに、第２フレーム壁６６から突出する第２当接部１１２の先端面１１２ａが当接することで、第２当接部１１２によって、第２フレーム壁６６の外側面６６ａと第２ケース壁３６の内側面３６ａとの間が部分的に埋められる。この場合も、支持フレーム１８に第１当接部１１０及び第２当接部１１２を設ける簡単な構成によって、バッテリパック１０の耐久性を容易に向上させることができる。
【００５０】
上記の実施形態に係るバッテリパック１０では、第１当接部４４、１１０及び第２当接部４６、１１２のそれぞれは、ケースコーナ部４０の稜方向に沿って延在する突条であることとした。この場合、簡単な構成で効果的にケース１２と支持フレーム１８とのガタツキを抑制して、バッテリパック１０の耐久性を向上させることができる。なお、第１当接部４４、１１０及び第２当接部４６、１１２のそれぞれの形状は、上記の突条に限定されるものではない。
【００５１】
上記の実施形態では、第１当接部４４及び第２当接部４６が、外殻ケース２４の稜方向の一端から他端にわたって延在することとした。すなわち、第１当接部４４の延在方向の両端面と、外殻ケース２４の稜方向の両端面とは面一となり、第２当接部４６の延在方向の両端面と、外殻ケース２４の稜方向の両端面とは面一となる。
【００５２】
この場合、バッテリ群１６と一体化された支持フレーム１８を外殻ケース２４に、その稜方向に沿って挿入する際、支持フレーム１８の下端面と、第１当接部４４及び第２当接部４６とが干渉することを抑制できる。その結果、バッテリパック１０を容易に組み立てることが可能になる。また、第１当接部４４及び第２当接部４６の延在方向における、第１当接部４４と第１フレーム壁６４との接触面積を大きくすることができ、第２当接部４６と第２フレーム壁６６との接触面積を大きくすることができる。これによって、ケース１２と支持フレーム１８とのガタツキを一層効果的に抑制することが可能になる。
【００５３】
なお、第１当接部４４及び第２当接部４６の延在長さは、上記の長さに特に限定されるものではなく、外殻ケース２４の稜方向の長さよりも短くてもよい。また、第１当接部４４、１１０及び第２当接部４６、１１２は、上記の稜方向に断続的に設けられてもよい。
【００５４】
上記の実施形態では、第１当接部４４の先端面４４ａ及び第２当接部４６の先端面４６ａのそれぞれを第１フレーム壁６４の外側面６４ａ及び第２フレーム壁６６の外側面６６ａの面方向に沿う平坦面とした。これによって、第１当接部４４と第１フレーム壁６４との接触面積を大きくすること、及び第２当接部４６と第２フレーム壁６６との接触面積を大きくすることができる。その結果、ケース１２と支持フレーム１８とのガタツキを一層効果的に抑制することが可能になる。
【００５５】
また、第１当接部１１０の先端面１１０ａ及び第２当接部１１２の先端面１１２ａのそれぞれを第１ケース壁３２の内側面３２ａ及び第２ケース壁３６の内側面３６ａに沿う平坦面とした。これによって、第１当接部１１０と第１ケース壁３２との接触面積を大きくすること、及び第２当接部１１２と第２ケース壁３６との接触面積を大きくすることができる。その結果、ケース１２と支持フレーム１８とのガタツキを一層効果的に抑制することが可能になる。
【００５６】
しかしながら、例えば、第１フレーム壁６４の外側面６４ａと第１当接部４４の先端面４４ａとを線接触させるべく、第１当接部４４の先端面４４ａを曲面としてもよいし、該先端面４４ａに稜部を設けてもよい。同様にして、第２当接部４６の先端面４６ａと第２フレーム壁６６の外側面６６ａ、第１当接部１１０の先端面１１０ａと第１ケース壁３２の内側面３２ａ、第２当接部１１２の先端面１１２ａと第２ケース壁３６の内側面３６ａとのそれぞれを互いに線接触させてもよい。
【００５７】
上記の実施形態に係るバッテリパック１０では、バッテリコアパック１４ａ、１４ｂ（バッテリ群１６）は角柱状であり、フレームコーナ部６８は、バッテリコアパック１４ａ、１４ｂの側面１６ａ、１６ｂ、１６ｃ、１６ｄ同士の稜部を覆い、ケース１２は、バッテリコアパック１４ａ、１４ｂの側面１６ａ、１６ｂ、１６ｃ、１６ｄを覆う角筒状の外殻ケース２４を有し、外殻ケース２４が、第１ケース壁３２と、第２ケース壁３６と、ケースコーナ部４０とを有することとした。
【００５８】
より具体的には、バッテリパック１０では、バッテリコアパック１４ａ、１４ｂは四角柱状であり、フレームコーナ部６８は、バッテリコアパック１４ａ、１４ｂの四隅の稜部をそれぞれ覆うように設けられ、第１当接部４４及び第２当接部４６は、四角筒状の外殻ケース２４の四隅に設けられたケースコーナ部４０の近傍にそれぞれ配設されることとした。この場合、ケース１２と支持フレーム１８とのガタツキを簡単な構成で一層効果的に抑制することが可能になる。
【００５９】
本発明は、上記した実施形態に特に限定されるものではなく、その要旨を逸脱しない範囲で種々の変形が可能である。
【００６０】
例えば、上記の実施形態では、第１フレーム壁６４の矢印Ｙ１、Ｙ２方向の長さが、同方向の第１当接部４４、１１０の長さよりも長いこととし、第１当接部４４、１１０によって、第１フレーム壁６４の外側面６４ａと第１ケース壁３２の内側面３２ａとの間が部分的に埋められることとした。しかしながら、特にこれに限定されるものではなく、第１当接部４４、１１０の矢印Ｙ１、Ｙ２方向の長さが、同方向の第１フレーム壁６４の長さ以上であることとし、第１当接部４４、１１０によって、第１フレーム壁６４の外側面６４ａと第１ケース壁３２の内側面３２ａとの間の全体が埋められることとしてもよい。同様に、第２当接部４６、１１２によって、第２フレーム壁６６の外側面６６ａと第２ケース壁３６の内側面３６ａとの間の全体が埋められることとしてもよい。
【００６１】
上記の実施形態では、第１当接部４４が第１ケース壁３２の内側面３２ａから突出するとともに、第２当接部４６が第２ケース壁３６の内側面３６ａから突出することとした。しかしながら、第１当接部４４及び第２当接部４６の何れか一方は、内側面３２ａ又は内側面３６ａから突出していなくてもよい。すなわち、第１フレーム壁６４の外側面６４ａと接触する内側面３２ａの一部が第１当接部４４を構成してもよい。又は、第２フレーム壁６６の外側面６６ａと接触する内側面３６ａの一部が第２当接部４６を構成してもよい。
【００６２】
同様に、第１当接部１１０及び第２当接部１１２の何れか一方は、第１フレーム壁６４の外側面６４ａ又は第２フレーム壁６６の外側面６６ａから突出していなくてもよい。すなわち、第１ケース壁３２の内側面３２ａと接触する外側面６４ａの一部が第１当接部１１０を構成してもよい。又は、第２ケース壁３６の内側面３６ａと接触する外側面６６ａの一部が第２当接部１１２を構成してもよい。
【００６３】
また、第１当接部４４、１１０及び第２当接部４６、１１２は、ケース１２及び支持フレーム１８の何れとも別体の部材から構成されてもよい。第１当接部４４、１１０及び第２当接部４６、１１２のそれぞれは、外殻ケース２４に代えて、ボトムケース２２やトップケース２６の内側面と、支持フレーム１８の外側面との間に設けられてもよい。バッテリコアパック１４ａ、１４ｂは、四角柱状以外の角柱状であってもよい。バッテリパック１０は、１個のバッテリコアパックのみを備えてもよいし、３個以上のバッテリコアパックを連結したバッテリ群を備えてもよい。
【符号の説明】
【００６４】
１０…バッテリパック                      １２…ケース
１４ａ、１４ｂ…バッテリコアパック        １８…支持フレーム
２４…外殻ケース                          ３２…第１ケース壁
３２ａ、３６ａ、４０ａ…内側面            ３６…第２ケース壁
４０…ケースコーナ部                      ４４、１１０…第１当接部
４６、１１２…第２当接部                  ６４…第１フレーム壁
６４ａ、６６ａ、６８ａ…外側面            ６６…第２フレーム壁
６８…フレームコーナ部                    ８０…電池セル
８２…セルホルダ
【図１】
2019225701.tif 000003
【図２】
2019225701.tif 000004
【図３】
2019225701.tif 000005
【図４】
2019225701.tif 000006
【図５】
2019225701.tif 000007
【図６】
2019225701.tif 000008
【図７】
2019225701.tif 000009
【国際調査報告】
2019225701.tif 000010
2019225701.tif 000011